(57)【要約】      （修正有）【課題】ローラ状消しゴムに消し屑を付着させて回収する字消し装置において、ローラ状消しゴムの径が小さくなっても消し屑を回収できる字消し装置を提供する。【解決手段】上面及び下面が開放された挿通空間２１を有し、挿通空間２１の下面から露出するようにローラ状消しゴム２２を回転自在に保持した外装体２と、下面が開放された収納空間３１を有し、収納空間３１の下面を開閉自在に塞ぐスクレーパ３２を弾性支持させた内装体３とから構成され、外装体２の挿通空間２１の上面側から内装体３を挿入し、ローラ状消しゴム２２の周面２２２にスクレーパ３２を当接させてなる字消し装置である。【選択図】図２
2019217643.tif 000002
【特許請求の範囲】
【請求項１】
上面及び下面が開放された挿通空間を有し、前記挿通空間の下面から露出するようにローラ状消しゴムを回転自在に保持した外装体と、
下面が開放された収納空間を有し、前記収納空間の下面を開閉自在に塞ぐスクレーパを弾性支持させた内装体とから構成され、
外装体の挿通空間の上面側から内装体を挿入し、ローラ状消しゴムの周面にスクレーパを当接させてなる字消し装置。
【請求項２】
内装体は、支持部分が弾性変形することにより傾斜するスクレーパに当接するストッパを収納空間に設けた請求項１記載の字消し装置。
【請求項３】
スクレーパは、前縁を波形に形成した請求項１又は２いずれか記載の字消し装置。
【発明の詳細な説明】
【技術分野】
【０００１】
本発明は、消し屑取り機能を有する字消し装置に関する。
【背景技術】
【０００２】
特許文献１は、消し屑を付着させるローラ（ローラー（４））を備えたカバー（本体（１））を消しゴム（（７））に取り付けた字消し装置を開示する（実用新案登録請求の範囲）。特許文献１が開示する字消し装置は、消しゴムの使用後に消し屑ができると反転させ、消し屑の上で転がせたローラに消し屑を付着させる。消し屑は、ローラに摺接するスクレーパ（バネ板（３））にすくわれて、カバー内（かす取り収納箱（２））に取り込まれる。消し屑は、一定量溜まったら、カバーを消しゴムから取り外して捨てる。
【０００３】
特許文献２は、１方向にのみ回転するローラ状消しゴムを有する字消し装置（特許文献２・［請求項１］）を開示する。特許文献２が開示する字消し装置は、ローラ状消しゴムが消し屑を付着させるローラを兼ねている（特許文献２・［請求項２］）。このため、回転しない方向にローラ状消しゴムを動かして鉛筆の字等を消し、逆方向に消しゴムを転がしてローラ状消しゴムに消し屑を付着させる。消し屑は、ローラ状消しゴムに接触する粘着テープに移して回収する。
【先行技術文献】
【特許文献】
【０００４】
【特許文献１】実全昭57-196598号公報
【特許文献２】特開2007-131001公報
【発明の概要】
【発明が解決しようとする課題】
【０００５】
特許文献１が開示する字消し装置は、消しゴムで鉛筆の字等を消した後、消し屑を回収するために反転させ、改めて消し屑の上でローラを転がさなければならず、字を消す作業と消し屑の回収作業とが連続しない。特許文献２が開示する字消し装置は、鉛筆の字等を消すローラ状消しゴムに消し屑を付着させることから、字を消す作業と消し屑の回収作業とが連続する利点があるが、ローラ状消しゴムの径が小さくなると粘着テープに接触しなくなり、ローラ状消しゴムに付着した消し屑が回収できなくなる。そこで、特許文献２が開示する字消し装置において、ローラ状消しゴムの径が小さくなっても消し屑を回収できる構成を検討した。
【課題を解決するための手段】
【０００６】
検討の結果開発したものが、上面及び下面が開放された挿通空間を有し、前記挿通空間の下面から露出するようにローラ状消しゴムを回転自在に保持した外装体と、下面が開放された収納空間を有し、前記収納空間の下面を開閉自在に塞ぐスクレーパを弾性支持させた内装体とから構成され、外装体の挿通空間の上面側から内装体を挿入し、ローラ状消しゴムの周面にスクレーパを当接させてなる字消し装置である。
【０００７】
本発明の字消し装置は、外装体の挿通空間に内装体を挿入すると、スクレーパがローラ状消しゴムの周面に当接するまで内装体が下降する。鉛筆の字等を消す場合、内装体を押し下げ、支持部分（スクレーパの根元）を弾性変形させて傾斜したスクレーパをローラ状消しゴムの周面に押し付け、前記消しゴムの回転を抑制する。本発明の字消し装置は、消し屑を回収する場合、内装体の押し下げを止め、初期状態に復元させたスクレーパを周面に当接させた状態で、ローラ状消しゴムを回転させて消し屑を付着させる。ローラ状消しゴムに付着させた消し屑は、ローラ状消しゴムの周面に摺接するスクレーパにすくわれて内装体の収納空間に溜められ、外装体から取り出した内装体のスクレーパを開いて収納空間の下面を開放して廃棄される。
【０００８】
内装体を押し下げてスクレーパをローラ状消しゴムの周面に押し当てることにより前記消しゴムの回転を抑制する観点から、内装体は、支持部分が弾性変形することにより傾斜するスクレーパに当接するストッパを収納空間に設けるとよい。ストッパは、支持部分の弾性変形により傾斜したスクレーパに当たって前記弾性変形を抑制するものであれば、構造又は構成を問わない。また、スクレーパは、前縁を波形に形成するとよい。波形は、三角形が並ぶ鋸刃状のほか、方形の凹凸で形成された形状や、円弧で形成された形状であってもよい。
【発明の効果】
【０００９】
本発明の字消し装置は、ローラ状消しゴムを利用して、字を消す作業と消し屑の回収作業とが連続しながら、内装体が外装体の挿通空間を下降してスクレーパをローラ状消しゴムの周面に当接させるので、径が小さくなってもローラ状消しゴムに付着した消し屑が回収できる。ローラ状消しゴムは、内装体を押し下げてスクレーパを周面に押し付けることで回転が抑制され、内装体の押し下げを止めると両方向に回転させることができる。これは、ローラ状消しゴムをどの方向に回転させても消し屑が回収できる利点をもたらす。
【００１０】
内装体に設けたストッパは、スクレーパをローラ状消しゴムの周面に強く押し当て、前記消しゴムの回転を強く抑制する。これにより、ストッパは、支持部分の弾性変形によるスクレーパの傾斜範囲を制限して、前記支持部分の過剰な弾性変形を防止する。前縁を波形にしたスクレーパは、ローラ状消しゴムの周面に付着した消し屑をすくいやすくする。また、前縁を波形にしたスクレーパは、内装体を押し下げた際、波形の前縁がローラ状消しゴムの周面に強く押し当てられ、前記消しゴムの回転抑制がより強く働く。
【図面の簡単な説明】
【００１１】
【図１】本発明を適用した字消し装置の一例を表す斜視図である。
【図２】本例の字消し装置の分解斜視図である。
【図３】内装体を下方から見た斜視図である。
【図４】本例の字消し装置において、ローラ状消しゴムを除く外装体及び内装体の縦断面図である。
【図５】ローラ状消しゴムで鉛筆の字等を消している状態を表す図４相当縦断面図である。
【図６】ローラ状消しゴムで消し屑を回収している状態を表す図４相当縦断面図である。
【図７】図６中Ａ-Ａ断面図である。
【図８】径が小さくなったローラ状消しゴムで鉛筆の字等を消している状態を表す図４相当縦断面図である。
【図９】径が小さくなったローラ状消しゴムで消し屑を回収している状態を表す図４相当縦断面図である。
【図１０】溜まった消し屑を廃棄している状態を表す図４相当縦断面図である。
【発明を実施するための形態】
【００１２】
以下、本発明を実施するための形態について図を参照しながら説明する。本発明の字消し装置１は、例えば図１〜図４に見られるように、上面及び下面が開放された挿通空間21を有する筒体である外装体２と、下面が開放された収納空間31を有する箱体である内装体３とから構成される。説明の便宜上、字消し装置1の上下左右は、図4に図示された縦断面図の上下左右に従う。本例の外装体２及び内装体３は、いずれも薄い樹脂の平面に囲まれた樹脂一体成形品であるが、別体の部品を組み付けて構成してもよい。別体の部品を組み付けて構成される外装体２及び内装体３は、部品毎に材質を異ならせてもよい。
【００１３】
外装体２は、挿通空間21から正面及び背面を下方に山形に突出させ、前記正面及び背面の突端に、ローラ状消しゴム22の回転軸221を掛け渡し、前記ローラ状消しゴム22を回転自在に保持している。ローラ状消しゴム22は、外装体２の正面及び背面の下方に突出した突端に回転軸221が架け渡されているから、径が小さくなっても、必ず露出した状態にある。ローラ状消しゴム22は、外装体２から回転軸221が外せない構成であっても、必要に応じて回転軸221を外して交換自在な構成にしてもよい。
【００１４】
内装体３は、開放された収納空間31の下面を開閉自在に塞ぐ左右一対のスクレーパ32,32を設けている。本例のスクレーパ32は、内装体３の側面から折り返し縁321を軸にして、収納空間31と同幅で折り返された片持ち片で、前記折り返し縁321を弾性支持の支持部分として開閉自在であり、傾きを変化させる。本例のスクレーパ32は、負荷の掛からない常態においてほぼ水平で、対向する前縁322の間が少し空いている。本例のスクレーパ32の前縁322は、鋸刃状の波形に形成している。
【００１５】
また、内装体３は、傾きを変化させたスクレーパ32が側縁を下方から当接させる正面視山形の段差からなるストッパ311を、収納空間31の下面から連続する正面及び背面の内側に設けている。このほか、本例の内装体３は、両側面の上端から断面半円の引き出し用凸部33,33を左右一対設けている。これにより、本例の内装体３は、外装体２の挿通空間21に挿入された状態から、前記引き出し用凸部33,33に指を掛けて引き出しやすくなっている。内装体３を外装体２から引き出しやすくできれば、引き出し用凸部33に代えて、つまみや紐等でも利用できる。
【００１６】
本例の外装体２は、薄い樹脂の正面、背面及び両側面で囲まれた横断面が長方形の筒体で、挿通空間21も横断面が長方形である。また、本例の内装体３は、外装体２同様、薄い樹脂の正面、背面及び両側面で囲まれた横断面が長方形の箱体で、前記外装体２の挿通空間21の横断面形状よりわずかに小さな相似な外形状をしている。これにより、内装体２は、ガタツクことなく外装体２の挿通空間21に挿入し、昇降させることができる。
【００１７】
内装体３は、外装体２の挿通空間21の上面側から挿入すると、ローラ状消しゴム22の周面222にスクレーパ32,32を当接させる。本例のスクレーパ32は、前縁322が鋸刃状になっており、ほぼ水平である常態において、前記前縁322の範囲をローラ状消しゴム22の周面222に当接させている。この場合、スクレーパ32とローラ状消しゴム22の周面222との摩擦は小さく、鋸刃状の前縁も押し付けられていないので、前記ローラ状消しゴム22は回転することができる。
【００１８】
本例の字消し装置１の使い方を説明する。鉛筆の字等を消す場合、ローラ状消しゴム22を紙４に擦り付ける必要があり、前記ローラ状消しゴム22が回転すると鉛筆の字等を消しにくい。このため、図５に見られるように、例えば指で内装体３を外装体２に対して押し込み、スクレーパ32をローラ状消しゴム22の周面222に押し付けて、前記ローラ状消しゴム22の回転を抑制する。本例のスクレーパ32は、前縁322が鋸刃状になっているため、前記前縁322がローラ状消しゴム22の周面222に押し当てられ、前記ローラ状消しゴム22の回転を抑制する働きもある。
【００１９】
スクレーパ32は、折り返し縁221を軸として弾性支持されている。このため、より強く内装体３を外装体２に対して押し込むと、ローラ状消しゴム22に押し付けられたスクレーパ32が上方に向けて傾くが、ストッパ311に当接することにより前記傾きが制限される。このため、内装体３を外装体２に対して強く押し込むほど、スクレーパ32がローラ状消しゴム22の周面222に強く押し付けられ、前記ローラ状消しゴム22の回転を防止できる。
【００２０】
紙4の上の消し屑５を回収する場合、字消し装置１を上下反転させることなく、外装体２に対する内装体３の押し込みを止めて、ローラ状消しゴム22を紙4の上で転がす。このように、本発明の字消し装置１は、字を消す作業と消し屑の回収作業とが連続している。紙４の上に発生した消し屑５は、図６に見られるように、周面222を紙４に接面させた状態でローラ状消しゴム22の前記周面222に付着する。このとき、スクレーパ32が折り返し縁321の弾性変形により傾いていると、常態に復元するスクレーパ32がローラ状消しゴム22の周面222を押し、内装体２が外装体３に対して若干上昇する。
【００２１】
スクレーパ32は、回転するローラ状消しゴム22の周面222に、主に鋸刃状の前縁322を摺接させる。回転するローラ状消しゴム22の周面222に付着した消し屑５は、図７に見られるように、対向するスクレーパ32,32の前縁322,322の隙間から一方の前縁322にすくわれ、収納空間31に取り込まれる。鋸刃状の前縁は、刃のいずれかが消し屑５をすくうので、回転するローラ状消しゴム22の周面222に付着した消し屑５を漏らさず収納空間31に取り込む。
【００２２】
本例のスクレーパ32は、左右一対設けてある。このため、ローラ状消しゴム22が左右どちらに回転しても、周面222に付着させた消し屑５を左右いずれかのスクレーパ32の前縁322ですくい取り、収納空間31に取り込むことができる。これは、消し屑5のある紙4の上を、回転するローラ状消しゴム22を往復させると、往復動のいずれでも消し屑５を回収できることを意味する。これにより、本例の字消し装置１は、短時間で消し屑5を回収できる。
【００２３】
本発明の字消し装置１は、ローラ状消しゴム22の径が小さくなっても消し屑5の回収ができる。鉛筆の字等を消す場合、内装体３を外装体２に対して押し込むと、ローラ状消しゴム22の径が小さくなっても、図８に見られるように、ローラ状消しゴム22の周面222に押され、ストッパ311に当接するまで上方に傾いたスクレーパ32が、前記周面222に押し付けられ、ローラ状消しゴム22の回転を防止する。このとき、収納空間31に消し屑５が溜まっていても、開放された収納空間31の下面は、左右一対のスクレーパ32とローラ状消しゴム22とに塞がれており、消し屑５は漏れ出さない。
【００２４】
消し屑５を回収する場合、内装体３を外装体２に対する押し込みを止めてローラ状消しゴム22を、消し屑5のある紙4の上で転がせば、ローラ状消しゴム22の径が小さくなっても、図９に見られるように、ローラ状消しゴム22の周面222に消し屑５を付着させ、前記消し屑５をスクレーパ32ですくい、収納空間31に取り込むことができる。このとき、収納空間31に消し屑５が溜まっていても、開放された収納空間31の下面は、左右一対のスクレーパ32とローラ状消しゴム22とに塞がれており、消し屑５は漏れ出さない。
【００２５】
内装体3の収納空間31に溜められた消し屑５は、図10に見られるように、外装体２から取り出し、左右一対のスクレーパ32,32を左右に開くことにより、前記収納空間31から取り出して廃棄できる。内装体３は、外装体２より長く作っておけば、外装体３に対して深く挿入していても、上端又は下端が露出するが、引き出しにくい。本例の内装体３に設けた引き出し用凸部33,33は、外装体３に対して深く挿入された内装体３に指が掛かる部分を構成し、内装体３を引き出しやすくしている。
【００２６】
消し屑５を廃棄した内装体３は、左右一対のスクレーパ32,32を閉じて収納空間31の下面を塞いだ状態で外装体2の挿通空間21に挿入すれば、ローラ状消しゴム22が残っている限り、スクレーパ32,32をローラ状消しゴム22の周面222に当接させ、再び鉛筆の字等を消し、発生した消し屑５を回収できる。この場合、ローラ状消しゴム22を交換可能にしておくと、本例の字消し装置１は、ローラ状消しゴム22を交換しながら繰り返し利用することができる。
【符号の説明】
【００２７】
１  字消し装置
２  外装体
21  挿通空間
22  ローラ状消しゴム
221  回転軸
222  周面
３  内装体
31  収納空間
311  ストッパ
32  スクレーパ
321  折り返し縁（支持部分）
322  前縁（鋸刃状）
33  引き出し用凸部
４  紙
５  消し屑
【図１】
2019217643.tif 000003
【図２】
2019217643.tif 000004
【図３】
2019217643.tif 000005
【図４】
2019217643.tif 000006
【図５】
2019217643.tif 000007
【図６】
2019217643.tif 000008
【図７】
2019217643.tif 000009
【図８】
2019217643.tif 000010
【図９】
2019217643.tif 000011
【図１０】
2019217643.tif 000012